(57)【要約】【課題】車両の側突時に、エアバッグが乗員の肩部側方に早期に展開するとともに乗員の上腕部を早期に持ち上げて、乗員を適切に保護する。【解決手段】車両の側面衝突時に座席４に着座した乗員６とドアとの間の空間に展開されるエアバッグ３と、エアバッグ３にガスを供給するインフレータ２と、を備えたサイドエアバッグ装置１であって、エアバッグ３は少なくとも、インフレータ２から直接的にガスが供給され乗員６の肩部６１側方に展開する第一チャンバー３１と、第一チャンバー３１に供給されたガスが供給され乗員６の上腕部６２下方に展開する第二チャンバー３２と、第二チャンバー３２の下方に設けられ第二チャンバー３２に供給されたガスが供給されて展開する第三チャンバー３３とに区画されている。【選択図】図１
2014088073.tif 000002
【特許請求の範囲】
【請求項１】
車両の側面衝突時に座席に着座した乗員とドアとの間の空間に展開されるエアバッグと、前記エアバッグにガスを供給するインフレータと、を備えたサイドエアバッグ装置であって、
前記エアバッグは少なくとも、前記インフレータから直接的にガスが供給され前記乗員の肩部側方に展開する第一チャンバーと、前記第一チャンバーに供給されたガスが供給され前記乗員の上腕部下方に展開する第二チャンバーと、前記第二チャンバーの下方に設けられ前記第二チャンバーに供給されたガスが供給されて展開する第三チャンバーとに区画されている
ことを特徴とする、サイドエアバッグ装置。
【請求項２】
前記第二チャンバーは、展開したときの形状が前方に行くほど斜め下方に延びる形状である
ことを特徴とする、請求項１記載のサイドエアバッグ装置。
【請求項３】
前記第二チャンバーは、前記第一チャンバーよりも車幅方向内側に展開されるように形成されている
ことを特徴とする、請求項１又は２記載のサイドエアバッグ装置。
【請求項４】
前記第一チャンバー及び前記第二チャンバーは、前記第一チャンバーから前記第二チャンバーへガスを流通させるための第一通気孔を有する第一隔壁部材により区画され、
前記第一通気孔は、前記第二チャンバーの後部に位置する
ことを特徴とする、請求項１〜３の何れか１項に記載のサイドエアバッグ装置。
【請求項５】
前記第一通気孔は、前記乗員の肩部側方よりも後方に位置する
ことを特徴とする、請求項４記載のサイドエアバッグ装置。
【請求項６】
前記第一チャンバーは、展開時の車幅方向長さが前記第二チャンバーの展開時の車幅方向長さよりも小さく形成されている
ことを特徴とする、請求項１〜５の何れか１項に記載のサイドエアバッグ装置。
【請求項７】
前記第二チャンバー及び前記第三チャンバーは、前記第二チャンバーから前記第三チャンバーへガスを流通させるための第二通気孔を有する第二隔壁部材により区画され、
前記第二隔壁部材は、前部が後部よりも下方に位置するように傾斜して設けられる
ことを特徴とする、請求項１〜６の何れか１項に記載のサイドエアバッグ装置。
【発明の詳細な説明】
【技術分野】
【０００１】
本発明は、側面衝突時に乗員を保護するサイドエアバッグ装置に関するものである。
【背景技術】
【０００２】
車両には、車体への衝撃から乗員を保護する乗員保護装置の一つとして、衝撃を吸収するエアバッグ装置を備えたものがある。エアバッグ装置は、エアバッグを展開させる必要があるほどの衝撃が車体に加わると、インフレータが作動してエアバッグにガスが供給され、エアバッグが瞬時に膨張展開して乗員を保護する。このようなエアバッグ装置のうち、車両の側面衝突時（以下、側突時という）に対応するものとして、運転席や助手席の座席側部に内蔵されたサイドエアバッグ装置が知られている。
【０００３】
一般的にサイドエアバッグ装置は座席のドア側の側部に収納されており、側突時にドアと乗員との間の空間にエアバッグを展開して乗員の肩部、胸部、腹部等への衝撃を和らげ乗員を保護する。しかしながら、エアバッグと乗員の胸部との間には乗員の上腕部が存在するため、エアバッグが展開することにより上腕部が反衝突側（車両内側）に押され、胸部の撓みが増大する可能性がある。そこで、側突時に乗員の上腕部を持ち上げて、乗員の上腕部がエアバッグと胸部との間に介在することを抑制するようにした技術が提案されている。
【０００４】
例えば特許文献１には、エアバッグの展開時に乗員の肩部を拘束する肩拘束部よりも車両前側に、乗員の上腕部が載るアームサポート縁が設けられたサイドエアバッグ装置が開示されている。このアームサポート縁は、乗員の脇よりも低い位置に設けられている。このような構成により、エアバッグが展開した時に、乗員の上腕部がエアバッグに沿って滑り上がりアームサポート縁に載り、上腕部がエアバッグと胸部との間に介在することを抑制できるとされている。
【先行技術文献】
【特許文献】
【０００５】
【特許文献１】特開２０１０−１３２０７２号公報
【発明の概要】
【発明が解決しようとする課題】
【０００６】
ところで、車両が側突した場合、乗員の体の部位の中で最初に衝撃を受けやすいのは、座席に着座している乗員の体の部位の中で最も幅（車幅方向長さ）が大きい肩部であると考えられる。これは、肩部が胸部や腹部と比べてドアとの距離が近く、肩部とドアとの間の空間が最も狭いためである。つまり、乗員を適切に保護するためには、肩部の側方に早期にエアバッグを展開させる必要がある。また、エアバッグと胸部との間に上腕部が介在することを抑制するためには、より早く上腕部を押し上げてやることが望ましい。
【０００７】
しかしながら、上記の特許文献１のエアバッグ装置では、肩部を拘束する肩拘束部と、上腕部が載るアームサポート縁とを備えているが、これらの部位は、インフレータからのガスがエアバッグ全体に供給されてから機能するため、側突時に肩部の側方に早期にエアバッグが展開されるとは限らない。また、アームサポート縁についても、側突早期に上腕部を確実に押し上げることはできないと考えられる。つまり、このエアバッグ装置では、部分的にエアバッグの展開タイミングをコントロールすることが難しいと考えられ、改善の余地があった。
【０００８】
本件の目的の一つは、上記のような課題に鑑み創案されたもので、車両の側突時に、エアバッグが乗員の肩部側方に早期に展開するとともに乗員の上腕部を早期に持ち上げて、乗員を適切に保護することができるようにした、サイドエアバッグ装置を提供することである。
なお、この目的に限らず、後述する発明を実施するための形態に示す各構成により導かれる作用効果であって、従来の技術によっては得られない作用効果を奏することも本件の他の目的として位置づけることができる。
【課題を解決するための手段】
【０００９】
（１）ここで開示するサイドエアバッグ装置は、車両の側面衝突時に座席に着座した乗員とドアとの間の空間に展開されるエアバッグと、前記エアバッグにガスを供給するインフレータと、を備えたサイドエアバッグ装置である。前記エアバッグは少なくとも、前記インフレータから直接的にガスが供給され前記乗員の肩部側方に展開する第一チャンバーと、前記第一チャンバーに供給されたガスが供給され前記乗員の上腕部下方に展開する第二チャンバーと、前記第二チャンバーの下方に設けられ前記第二チャンバーに供給されたガスが供給されて展開する第三チャンバーとに区画されていることを特徴としている。
【００１０】
つまり、前記エアバッグは、少なくとも前記第一チャンバーと前記第二チャンバーと前記第三チャンバーの三つのチャンバー（部屋）に仕切られており、これら三つのチャンバーが上下方向に並んで設けられている。そして、前記インフレータから供給されたガスは、まず前記第一チャンバーに供給され、その後前記第二チャンバーへ流れ、最後に前記第三チャンバーに流れる。言い換えると、前記乗員の肩部側方に展開する前記第一チャンバーが最初に展開し、次に上腕部下方に展開する前記第二チャンバーが展開し、最後に前記第三チャンバーが展開する。
【００１１】
（２）前記第二チャンバーは、展開したときの形状が前方に行くほど斜め下方に延びる形状であることが好ましい。
（３）また、前記第二チャンバーは、前記第一チャンバーよりも車幅方向内側に展開されるように形成されていることが好ましい。
【００１２】
（４）また、前記第一チャンバー及び前記第二チャンバーは、前記第一チャンバーから前記第二チャンバーへガスを流通させるための第一通気孔を有する第一隔壁部材により区画され、前記第一通気孔は、前記第二チャンバーの後部に位置することが好ましい。
（５）このとき、前記第一通気孔は、前記乗員の肩部側方よりも後方に位置することがより好ましい。
（６）また、前記第一チャンバーは、展開時の車幅方向長さが前記第二チャンバーの展開時の車幅方向長さよりも小さく形成されていることが好ましい。
【００１３】
（７）また、前記第二チャンバー及び前記第三チャンバーは、前記第二チャンバーから前記第三チャンバーへガスを流通させるための第二通気孔を有する第二隔壁部材により区画され、前記第二隔壁部材は、前部が後部に比べて下方に位置するように傾斜して設けられることが好ましい。つまり、前記第二隔壁部材の姿勢が前傾姿勢となるように前記第二チャンバーと前記第三チャンバーとが区画されている。前記第二通気孔を流通するガスは、車両前方から後方且つ斜め下方に向かって前記第三チャンバーへ流れ込む。これにより、前記第三チャンバーの膨張時の反力が前記第二チャンバーに伝わり、前記第二チャンバーの膨張が補助される。
【発明の効果】
【００１４】
開示のサイドエアバッグ装置によれば、エアバッグが少なくとも第一チャンバーと第二チャンバーと第三チャンバーとに区画され、第一チャンバーから順にガスが供給されて展開されるため、ドアとの間の空間が最も小さい乗員の肩部側方にエアバッグを早期に展開させることができる。これにより、肩部を適切に保護することができる。
【００１５】
また、第二チャンバーは、第一チャンバーに供給されたガスが供給されて展開するものであり、さらに第三チャンバーは第二チャンバーに供給されたガスにより展開する。つまり、第二チャンバーは第三チャンバーよりも先に展開するため、第一チャンバーで早期に乗員の肩部を保護した後、早期に第二チャンバーにより乗員の上腕部を上方へ持ち上げることができる。これにより、乗員の上腕部がエアバッグと胸部との間に挟まれることによる胸部撓みの増加を抑制することができる。したがって、車両の側突時に乗員を適切に保護することができる。
【図面の簡単な説明】
【００１６】
【図１】第一実施形態に係るサイドエアバッグ装置が適用された座席に乗員が着座した状態を模式的に示す側面図である。
【図２】第一実施形態に係るサイドエアバッグ装置のエアバッグ展開時の状態を示す図であり（ａ）は側面図、（ｂ）は図２（ａ）のＡ−Ａ断面図である。
【図３】第一実施形態に係るサイドエアバッグ装置の作用を説明するための模式的な図であり、（ａ），（ｃ）及び（ｅ）は側面図であり、（ｂ），（ｄ）及び（ｆ）は正面図である。
【図４】第二実施形態に係るサイドエアバッグ装置が適用された座席に乗員が着座した状態を模式的に示す図であり、（ａ）は側面図、（ｂ）は正面図である。
【図５】第三実施形態に係るサイドエアバッグ装置が適用された座席に乗員が着座した状態を模式的に示す図であり、（ａ）は側面図、（ｂ）は正面図である。
【図６】第四実施形態に係るサイドエアバッグ装置を説明するための図であり、（ａ）はエアバッグ展開時の側面図であり、（ｂ）はこのサイドエアバッグ装置が適用された座席に乗員が着座した状態を模式的に示す側面図である。
【発明を実施するための形態】
【００１７】
以下、図面により実施の形態について説明する。なお、以下に示す実施形態はあくまでも例示に過ぎず、以下の実施形態で明示しない種々の変形や技術の適用を排除する意図はない。
本サイドエアバッグ装置は、車両の運転席及び助手席に装備されるものである。以下の説明では、車両の進行方向を前方とし、その逆を後方とし、前方を基準に左右を定める。また、重力の方向を下方とし、その逆を上方として説明する。また、車体の中心に向かう側を内側、その逆を外側として説明する。
【００１８】
［１．第一実施形態］
［１−１．構成］
本実施形態に係るサイドエアバッグ装置について、図１〜図３を用いて説明する。なお、図１はエアバッグが展開した状態を示している。図１に示すように、本サイドエアバッグ装置１は、車両の側面衝突時（以下、側突時という）にエアバッグ３を展開させることで乗員６を保護するものである。そのため、サイドエアバッグ装置１は、乗員６が着座するシート４のシートバック４１のドア５側の側部４１ａに収納されている。
【００１９】
サイドエアバッグ装置１は、側突を検知する側突センサ（図示略）と、ガスを発生させるインフレータ２と、乗員６を保護するエアバッグ３とを備えている。側突センサは、車両の側方からの衝撃を検知するセンサであり、例えば車両の加速度を検出する加速度センサである。この加速度センサで検出された加速度情報は図示しない電子制御装置に伝達され、所定の加速度以上の加速度が検出された場合は側突があったと判断される。なお、側突センサは加速度センサのような電子式のセンサに限らず、機械式のセンサや電気機械式のセンサであってもよい。
【００２０】
側突があったと判断された場合は、その情報がインフレータ２に伝達される。これにより、インフレータ２はガスを発生させ、そのガスをエアバッグ３に供給する。エアバッグ３は、同一形状の二枚の基布を重ね合わせ、その状態で周囲を縫い合わせることで袋状にされたものである。エアバッグ３は、インフレータ２からガスが供給されるとシートバック４１から飛び出して瞬時に展開し、ドア５と乗員６との間の空間に膨張する。
【００２１】
エアバッグ３は、図１及び図２（ａ）に示すように、展開したときに乗員６の肩部６１の側方から腰部の側方までを覆う大きさの袋体であり、インフレータ２からガスが供給される前は、例えば小さく折畳まれた状態でシートバック４１内に収納される。エアバッグ３は、二つのテザー（隔壁部材）３４，３５によって、上下方向に三つのチャンバー３１，３２，３３に区画されている。これら三つのチャンバー３１，３２，３３を、上から順に第一チャンバー３１，第二チャンバー３２，第三チャンバー３３と呼ぶ。第一チャンバー３１及び第二チャンバー３２は第一テザー３４で区画され、第二チャンバー３２及び第三チャンバー３３は第二テザー３５で区画されている。なお、図１及び図２（ａ）等の中の矢印は、ガスの流れを示す。
【００２２】
第一チャンバー３１は、乗員６の肩部６１の側方に展開して肩部６１を保護する機能を有する。第一チャンバー３１は、インフレータ２で発生されたガスがインフレータ２から直接供給される部分であり、エアバッグ３のうち最初に展開して膨張する。第一チャンバー３１には、インフレータ２からのガスが流通する流通路２１が接続されている。
【００２３】
第一チャンバー３１は、主に肩部６１の側方に展開するように、展開したときの形状が、第二チャンバー３２及び第三チャンバー３３よりも前後方向長さが短くなるように形成されている。また、車両前方に行くほど上下方向長さが長くなるように形成されており、側面視で略三角形となっている。第一チャンバー３１は、前後方向長さが他のチャンバー３２，３３よりも短く形成され全体の容積が小さいため、少量のガスで膨張するようになっている。言い換えると、インフレータ２からガスが供給され始めた段階で瞬時に展開する。これにより、乗員６の肩部６１の側方に早期に展開して、肩部６１を確実に覆うことができるようになっている。
【００２４】
第二チャンバー３２は、第一チャンバー３１の下方に設けられ第一チャンバー３１よりも車幅方向内側に展開するように形成されており、乗員６の上腕部６２の下方に展開して上腕部６２を持ち上げる機能を有する。上腕部６２とは、脇の下から肘にかけての部分である。なお、図１及び図３（ｃ）には、第二チャンバー３２により持ち上げられる前の上腕部６２を二点鎖線で示す。第二チャンバー３２は、第一チャンバー３１に供給されたガスが供給されることで展開する部分であり、第一チャンバー３１の膨張に続いて膨張する。
【００２５】
第二チャンバー３２は、展開したときの形状が、上下方向長さよりも前後方向長さの方が長くなるように前後方向に延びた形状となっている。ここでは、側面視で前部が後部よりも下方に位置するように傾斜して設けられ、乗員６の上腕部６２の下方に沿って展開するようになっている。つまり、第二チャンバー３２の上縁部３２ａが前方に行くほど斜め下方に傾斜され、乗員６の上腕部６２に沿う形状となっている。なお、上縁部３２ａの一部（ここでは後部）には、第一チャンバー３１と区画する第一テザー３４が設けられる。
【００２６】
第二チャンバー３２は、展開したときの車幅方向長さ（以下、単に幅ともいう）が乗員６の上腕部６２の幅よりも大きくなるように形成されている〔図３（ｄ）参照〕。なお、本実施形態では、第一チャンバー３１，第二チャンバー３２及び第三チャンバー３３の各幅は、最も膨張したときに略同等となるように形成されている。つまりここでは、第一チャンバー３１及び第三チャンバー３３は、第二チャンバー３２と同様、乗員６の上腕部６２の幅よりも大きくなるように形成されている。
【００２７】
第一テザー３４は、第一チャンバー３１の下縁部３１ｂの後部と第二チャンバー３２の上縁部３２ａの後部との境界部分を形成する隔壁部材である。第一テザー３４は、第一チャンバー３１及び第二チャンバー３２を仕切る機能と、第一チャンバー３１及び第二チャンバー３２の境界部分の幅を所望の長さに設定する機能とを有している。つまり、図２（ｂ）に示すように、エアバッグ３は、第一チャンバー３１と第二チャンバー３２との境界部分の車幅方向長さが所望の長さになるように第一テザー３４の車幅方向長さが決められており、この第一テザー３４によって第一チャンバー３１と第二チャンバー３２とが隔離されている。
【００２８】
第一テザー３４には、第一チャンバー３１から第二チャンバー３２へガスを流通させるための第一通気孔３４ｈが形成されている。第一通気孔３４ｈは、第一テザー３４の略中央に設けられ、第二チャンバー３２の後部に位置する孔である。ここでは特に、乗員６の肩部６１の側方よりも後方に位置している。なお、図２（ａ）には丸い第一通気孔３４ｈが一つ設けられている場合を例示しているが、第一通気孔３４ｈの形状や数は特に限定されない。また、第一通気孔３４ｈの大きさも特に限定されず、第一チャンバー３１から第二チャンバー３２へガスが円滑に流れるものであればよい。
【００２９】
第三チャンバー３３は、第二チャンバー３２の下方に設けられた最も容積の大きいチャンバーであり、第一チャンバー３１及び第二チャンバー３２で保護されない乗員６の胸部，腹部及び腰部（以下、これらを総称して他の部位６３という）を保護する機能を有する。第三チャンバー３３は、第二チャンバー３２に供給されたガスが供給されることで展開する部分であり、第一チャンバー３１，第二チャンバー３２の膨張に続いて最後に膨張する。第三チャンバー３３は、他の部位６３を覆うことができる形状であればよく、特に限定されないが、ここでは側面視で略四角形に形成されている。
【００３０】
第三チャンバー３３の上縁部３３ａには、第二チャンバー３２と区画する第二テザー３５が設けられる。また、第三チャンバー３３には、第三チャンバー３３に供給されたガスが外部へ排出されるための排出孔３６ｈが設けられる。つまり、インフレータ２からエアバッグ３に供給されたガスは、第一チャンバー３１，第二チャンバー３２を経由して第三チャンバー３３に供給され、最後は排出孔３６ｈから外部へ排出される。
【００３１】
第二テザー３５は、第二チャンバー３２の下縁部３２ｂと第三チャンバー３３の上縁部３３ａとの境界部分を形成する隔壁部材である。第二テザー３５は、第一テザー３４と同様、第二チャンバー３２及び第三チャンバー３３を仕切る機能と、第二チャンバー３２及び第三チャンバー３３の境界部分の幅を所望の長さに設定する機能とを有している。つまり、図２（ｂ）に示すように、エアバッグ３は、第二チャンバー３２と第三チャンバー３３との境界部分の車幅方向長さが所望の長さになるように第二テザー３５の車幅方向長さが決められており、この第二テザー３５によって第二チャンバー３２と第三チャンバー３３が隔離されている。なお、第一テザー３４の車幅方向長さと第二テザー３５の車幅方向長さとは、同一の長さであってもよく、異なる長さであってもよい。
【００３２】
第二テザー３５は、前後方向に略水平に延設され、第二チャンバー３２から第三チャンバー３３へガスを流通させるための第二通気孔３５ｈが形成されている。第二通気孔３５ｈは、第二テザー３５の略中央に設けられた孔である。なお、図２（ａ）には丸い第二通気孔３５ｈが一つ設けられている場合を例示しているが、第二通気孔３５ｈの形状や数は特に限定されない。また、第二通気孔３５ｈの大きさも特に限定されず、第二チャンバー３２から第三チャンバー３３へガスが円滑に流れるものであればよい。また、第一通気孔３４ｈと第二通気孔３５ｈとが同じ大きさであってもよく、異なる大きさであってもよい。
【００３３】
［１−２．作用・効果］
次に、図３（ａ）〜（ｆ）を用いて、側突時におけるサイドエアバッグ装置１の動作について説明する。図３（ａ）及び（ｂ）はインフレータ２からエアバッグ３へガスが供給されて第一チャンバー３１が膨張した状態を示し、図３（ｃ）及び（ｄ）は第二チャンバー３２が膨張した状態を示し、図３（ｅ）及び（ｆ）は第三チャンバー３３が膨張した状態を示す。
【００３４】
図３（ａ）及び（ｂ）に示すように、側突センサにより側突が検出され、インフレータ２からエアバッグ３へガスが供給され始めると、瞬時に第一チャンバー３１のみが展開される。第一チャンバー３１は、ドア５が車両内側へ移動してくる前に肩部６１の側方とドア５との間の空間に膨張して、早期に乗員６の肩部６１を保護する。
【００３５】
次いで、図３（ｃ）及び（ｄ）に示すように、第一通気孔３４ｈを通じて第一チャンバー３１から第二チャンバー３２へガスが流れ、第二チャンバー３２が展開される。なお、インフレータ２からのガスの供給は、このときも継続して実施されている。第一通気孔３４ｈは、第二チャンバー３２の後部であって、乗員６の肩部６１の側方よりも後方に位置しているため、第二チャンバー３２には車両後方から前方に向かってガスが供給される。これにより、第二チャンバー３２は、後方から前方に向かって乗員６の上腕部６２の下方に沿って膨張し、図３（ｃ）中に白抜き矢印で示すように乗員６の上腕部６２を上方へ持ち上げる。
【００３６】
そして、図３（ｅ）及び（ｆ）に示すように、第二通気孔３５ｈを通じて第二チャンバー３２から第三チャンバー３３へガスが流れ、第二チャンバー３２が膨張した後に第三チャンバー３３が展開される。なお、インフレータ２からのガスの供給は、未だ継続して実施される。第三チャンバー３３は、乗員６の他の部位６３の側方とドア５との間の空間に膨張して、乗員６の他の部位６３を保護する。そして、第三チャンバー３３が完全に膨張すると、インフレータ２からのガスの供給が終了され、排出孔３６ｈからガスが排出されてエアバッグ３が収縮する。
【００３７】
したがって、本サイドエアバッグ装置１によれば、エアバッグ３が少なくとも第一チャンバー３１と第二チャンバー３２と第三チャンバー３３とに区画され、第一チャンバー３１から順にガスが供給されて展開されるため、ドア５との間の空間が最も小さい乗員６の肩部６１の側方にエアバッグ３を早期に展開させることができる。これにより、肩部６１を適切に保護することができる。
【００３８】
また、第二チャンバー３２は、第一チャンバー３１に供給されたガスが供給されて展開するものであり、さらに第三チャンバー３３は第二チャンバー３２に供給されたガスにより展開する。つまり、第二チャンバー３２は第三チャンバー３３よりも先に展開するため、第一チャンバー３１で早期に乗員６の肩部６１を保護した後、早期に第二チャンバー３２により乗員６の上腕部６２を上方へ持ち上げることができる。これにより、乗員６の上腕部６２がエアバッグ３と乗員６の胸部との間に挟まれることによる胸部撓みの増加を抑制することができる。そして、第三チャンバー３３により乗員６の他の部位６３を保護することができる。したがって、車両の側突時に乗員６を適切に保護することができる。
【００３９】
また、第二チャンバー３２は、展開したときの形状が前方に行くほど斜め下方に延びる形状であるため、より早期に乗員６の上腕部６２を持ち上げることができる。
さらに、第二チャンバー３２が第一チャンバー３１よりも車幅方向内側に展開するように形成されているため、乗員６の上腕部６２の下方で展開することができ、上腕部６２を上方に持ち上げることができる。
【００４０】
また、第一チャンバー３１と第二チャンバー３２とを区画する第一テザー３４に設けられた第一通気孔３４ｈが、第二チャンバー３２の後部に位置するため、第二チャンバー３２には車両後方から前方に向かってガスが供給されることになる。つまり、第二チャンバー３２は後方から前方に向かって膨張するため、乗員６の上腕部６２を持ち上げやすくすることができる。
【００４１】
さらにここでは、第一通気孔３４ｈが乗員６の肩部６１の側方よりも後方に位置しているため、第二チャンバー３２が展開したときに乗員６の上腕部６２を、根元（つまり、肩部６１）から持ち上げることができ、上腕部６２にエアバッグ３の展開する力を作用させやすくすることができる。
また、第二チャンバー３２は、展開時の車幅方向長さが乗員６の上腕部６２の車幅方向長さよりも大きくなるように形成されているため、乗員６の上腕部６２の下方に接触する面積が拡大され、上腕部６を上方へ持ち上げる力を増大させることができる。
【００４２】
［２．第二実施形態］
次に、第二実施形態に係るサイドエアバッグ装置について、図４（ａ）及び（ｂ）を用いて説明する。本サイドエアバッグ装置１は、エアバッグ３の第一チャンバー３１′の形状が異なる点を除いて第一実施形態と同様である。以下の説明では、第一実施形態と同様の部品や構造については第一実施形態と同様の符号を付し、重複する説明は省略する。
【００４３】
図４（ａ）は図３（ｃ）の状態に対応する側面図であり、図４（ｂ）はドア５が車両内側へ移動しない場合の図３（ｄ）の状態に対応する正面図である。つまり図４（ｂ）は、第一チャンバー３１′及び第二チャンバー３２が共に最も膨張した状態を示す。本実施形態では、図４（ｂ）に示すように、第一チャンバー３１′は、展開時の幅が第二チャンバー３２の展開時の幅よりも小さく形成されており、側突から乗員６の肩部６１を保護できる最低限の幅となっている。なお、第一チャンバー３１′と第二チャンバー３２とを異なる幅にするには、例えばエアバッグ３の形状そのものを変更してもよく、第一チャンバー３１′内に幅を調整するためのテザー（図示略）を設けて所望の幅に設定してもよい。
【００４４】
このように構成されたサイドエアバッグ装置１によれば、第一実施形態の構成に比べ、第一チャンバー３１′の容積がより小さくされるため、少量のガスで第一チャンバー３１′を展開させることができる。つまり、より早期に乗員６の肩部６１の側方にエアバッグ３を展開させることができ、適切に乗員６の肩部６１を保護することができる。なお、第一実施形態と同様の構成から得られる効果は、本実施形態でも同様に得ることができる。
【００４５】
［３．第三実施形態］
次に、第三実施形態に係るサイドエアバッグ装置について、図５（ａ）及び（ｂ）を用いて説明する。本サイドエアバッグ装置１は、エアバッグ３が規制部３７を有する点を除いて第一実施形態と同様である。以下の説明では、第一実施形態と同様の部品や構造については第一実施形態と同様の符号を付し、重複する説明は省略する。
【００４６】
図５（ａ）は図３（ａ）の状態に対応する側面図であり、図５（ｂ）は図３（ｂ）の状態に対応する正面図である。図５（ａ）及び（ｂ）に示すように、本実施形態では、第一チャンバー３１に、第一チャンバー３１の展開時の幅を規制する規制部３７が設けられている。規制部３７は、ここでは第一チャンバー３１の二枚の基布をテザーで繋ぐことで構成された部分であり、規制部３７における第一チャンバー３１の幅はゼロではない大きさに規制される。
【００４７】
規制部３７を構成するテザーは、第一チャンバー３１の下縁部３１ｂに略平行に設けられ、第一チャンバー３１の上下方向の略中央に延設される。第一チャンバー３１は、この規制部３７によってさらに上下二つのチャンバーに区画されている。規制部３７を構成するテザーには、二つの連通口３７ｈが設けられ、第一チャンバー３１に供給されたガスはこれらの連通口３７ｈを通って第一チャンバー３１内を行き来する。
【００４８】
このように構成されたサイドエアバッグ装置１によれば、第一実施形態の構成に比べ、第一チャンバー３１の幅が規制されることで容積がより小さくされるため、少量のガスで第一チャンバー３１を展開させることができる。つまり、より早期に乗員６の肩部６１の側方にエアバッグ３を展開させることができ、適切に乗員６の肩部６１を保護することができる。なお、第一実施形態と同様の構成から得られる効果は、本実施形態でも同様に得ることができる。
【００４９】
また、規制部３７は、第一チャンバー３１の幅を規制することができる構成であればよく、上記した構造のテザーに限られない。つまり、規制部３７を構成するテザーは、第一チャンバー３１の下縁部３１ｂに略平行に設けられていなくてもよく、その位置も第一チャンバー３１の上下方向の略中央でなくてもよい。また、規制部３７はテザーで構成されていなくてもよく、例えば二枚の基布を縫い合わせてシームで構成された部分を規制部３７としてもよい。このような構成であっても、上記した効果を得ることができる。
【００５０】
［４．第四実施形態］
次に、第四実施形態に係るサイドエアバッグ装置について、図６（ａ）及び（ｂ）を用いて説明する。本サイドエアバッグ装置１は、第二チャンバー３２と第三チャンバー３３とを区画する第二テザー３５′が異なる点を除いて第一実施形態と同様である。以下の説明では、第一実施形態と同様の部品や構造については第一実施形態と同様の符号を付し、重複する説明は省略する。
【００５１】
図６（ａ）は図２（ａ）に対応する図であり、図６（ｂ）は図３（ｃ）に対応する状態を示す側面図である。図６（ａ）及び（ｂ）に示すように、本実施形態では、第二チャンバー３２と第三チャンバー３３とを区画する第二テザー３５′が、前方に行くほど斜め下方に延びるように設けられている。つまり、第一実施形態の略水平に設けられた第二テザー３５と比較して、本実施形態の第二テザー３５′は前部が後部に比べて下方に位置するように傾斜して設けられる。言い換えると、第二テザー３５′の姿勢が前傾姿勢となるように、第二チャンバー３２と第三チャンバー３３とが
区画されている。なお、第二通気孔３５ｈは第一実施形態と同様、第二テザー３５′の略中央に設けられる。
【００５２】
このように構成されたサイドエアバッグ装置１によれば、第二チャンバー３２から第三チャンバー３３へ流れるガスは、側面視で車両前方から後方に向かって斜め下方に流れる。これにより、第三チャンバー３３が膨張し始めるときに、図６（ｂ）に矢印Ｂで示すように第三チャンバー３３の膨張時の反力（膨張反力）が第二チャンバー３２へ伝わる。この膨張反力は、第二チャンバー３２が上腕部６２を持ち上げる方向（すなわち、車両後方から前方に向かって斜め上方）へ作用する。そのため、乗員６の上腕部６２を第二チャンバー３２によって、より確実に上方へ持ち上げることができる。さらに、膨張反力が作用する方向は、第二テザー３５′の角度を変更することで調整することができる。
【００５３】
例えば、乗員６が大柄な人で第二チャンバー３２の膨張のみでは上腕部６２が持ち上がらないような場合であっても、本実施形態に係るサイドエアバッグ装置１によれば、上腕部６２を確実に持ち上げることができ、乗員６の上腕部６２がエアバッグ３と乗員６の胸部との間に挟まれることによる胸部撓みの増加を抑制することができる。なお、第一実施形態と同様の構成から得られる効果は、本実施形態でも同様に得ることができる。
【００５４】
［５．その他］
以上、本発明の実施形態を説明したが、本発明は上記実施形態に限定されるものではなく、本発明の趣旨を逸脱しない範囲で種々変形することが可能である。
上記した各実施形態では、エアバッグ３が三つのチャンバー３１，３２，３３に区画されている場合を説明したが、少なくとも上記の三つのチャンバー３１，３２，３３を有していればよく、エアバッグ３が四つ以上に区画されていてもよい。
【００５５】
また、第一チャンバー３１の形状は上記した各実施形態のものに限られず、側突時に乗員６の肩部６１を保護することができる形状であればよい。第二チャンバー３２も同様に、側突時に乗員６の上腕部６２を上方へ持ち上げることができる形状であればよく、その形状は上記したものに限定されない。第三チャンバー３３も第一，第二チャンバー３１，３２と同様、乗員６の他の部位６３を保護することができる形状や大きさであればよい。
【００５６】
また、第一通気孔３４ｈ，第二通気孔３５ｈ及び排出孔３６ｈの位置や形状は上記したものに限定されず、インフレータ２から供給されるガスの流量やエアバッグ３を展開させる時間に応じて適当なものを採用可能である。また、上記実施形態では、第一通気孔３４ｈ，第二通気孔３５ｈ及び排出孔３６ｈは単なる孔である場合を例示したが、これら孔が弁として設けられていてもよい。すなわち、第一通気孔３４ｈ等を弁として構成することで、流通するガスの流量や流速が調整可能となり、各チャンバー３１，３２，３３の膨らむ速さやタイミングの最適化が可能となる。
【符号の説明】
【００５７】
１  サイドエアバッグ装置
２  インフレータ
３  エアバッグ
４  シート
５  ドア
６  乗員
３１，３１′  第一チャンバー
３２  第二チャンバー
３３  第三チャンバー
３４  第一テザー（第一隔壁部材）
３４ｈ  第一通気孔
３５，３５′  第二テザー（第二隔壁部材）
３５ｈ  第二通気孔
３６ｈ  排出孔
３７  規制部
３７ｈ  連通口
６１  肩部
６２  上腕部
６３  胸部，腹部及び腰部（他の部位）
【図１】
2014088073.tif 000003
【図２】
2014088073.tif 000004
【図３】
2014088073.tif 000005
【図４】
2014088073.tif 000006
【図５】
2014088073.tif 000007
【図６】
2014088073.tif 000008